(57)【要約】本発明は、３ＧＰＰ（３ｒｄ  Ｇｅｎｅｒａｔｉｏｎ  Ｐａｒｔｎｅｒｓｈｉｐ  Ｐｒｏｊｅｃｔ）によって規定されたソフトハンドオーバ機能を有する移動体通信システムにおいて、ハンドオーバ機能を向上することを目的とする。そして、上記目的を達成するために、イベント１Ｃの判定において、移動機（１２）は、イベント１Ｃに関するばたつき防止しきい値（Ｈ）として、モニタセットセル（１１ｄ）の通信レベルがイマージェンシーレンジ（ＥＲ）内に入っていない場合は、第１の値（Ｈ１ｃ）を設定し、一方、モニタセットセル（１１ｄ）の通信レベルがイマージェンシーレンジ（ＥＲ）内に入っている場合は、第１の値（Ｈ１ｃ）よりも低い第２の値（α）を設定する。
2005002268.tif 000002
【特許請求の範囲】
【請求項１】
ネットワーク上位装置（１０）と、複数のセル（１１ａ〜１１ｄ）と、移動機（１２）とを備える移動体通信システムにおいて、
前記複数のセル（１１ａ〜１１ｄ）は、モニタセットセル（１１ｄ）と、複数のアクティブセットセル（１１ａ〜１１ｃ）とを含み、
前記移動機（１２）は、前記モニタセットセル（１１ｄ）の通信レベルが、前記複数のアクティブセットセル（１１ａ〜１１ｃ）のうち通信レベルが最低のワーストアクティブセットセル（１１ｃ）の通信レベルと、予め設定された所定のしきい値（Ｈ）との加算値以上になった場合に、セルの入れ替えに関するイベントの発生を、前記複数のアクティブセットセル（１１ａ〜１１ｃ）を介して前記ネットワーク上位装置（１０）に報告する制御部（３０）を有し、
前記制御部（３０）は、
前記複数のアクティブセットセル（１１ａ〜１１ｃ）のうち通信レベルが最高のベストアクティブセットセル（１１ｂ）の通信レベルに対して、所定のレンジを設定する第１の設定手段と、
前記モニタセットセル（１１ｄ）の通信レベルが前記所定のレンジ内に入っていない場合、前記所定のしきい値（Ｈ）として第１の値（Ｈ１ｃ）を設定し、前記モニタセットセル（１１ｄ）の通信レベルが前記所定のレンジ内に入っている場合、前記所定のしきい値（Ｈ）として、前記第１の値（Ｈ１ｃ）よりも低い第２の値（α）を設定する第２の設定手段と
を含む、移動体通信システム。
【請求項２】
前記イベントは、３ＧＰＰ（３ｒｄ  Ｇｅｎｅｒａｔｉｏｎ  Ｐａｒｔｎｅｒｓｈｉｐ  Ｐｒｏｊｅｃｔ）によって規定された通信方式における、イベント１Ｃである、請求の範囲１に記載の移動体通信システム。
【請求項３】
前記第２の値（α）は、前記ベストアクティブセットセル（１１ｂ）の通信レベルに応じて可変である、請求の範囲１に記載の移動体通信システム。
【請求項４】
ネットワーク上位装置（１０）と、複数のセル（１１ａ〜１１ｄ）と、移動機（１２）とを備える移動体通信システムにおいて、
前記複数のセル（１１ａ〜１１ｄ）は、モニタセットセル（１１ｄ）と、複数のアクティブセットセル（１１ａ〜１１ｃ）とを含み、
前記移動機（１２）は、前記モニタセットセル（１１ｄ）の通信レベルが、前記複数のアクティブセットセル（１１ａ〜１１ｃ）のうち通信レベルが最低のワーストアクティブセットセル（１１ｃ）の通信レベルと、所定のしきい値（Ｈ１ｃ／２）との加算値以上になっている状態が、予め設定された所定の期間（ｔｉｍｅ−ｔｏ−ｔｒｉｇｇｅｒ）以上持続された場合に、セルの入れ替えに関するイベントの発生を、前記複数のアクティブセットセル（１１ａ〜１１ｃ）を介して前記ネットワーク上位装置（１０）に報告する制御部（３０）を有し、
前記制御部（３０）は、
前記複数のアクティブセットセル（１１ａ〜１１ｃ）のうち通信レベルが最高のベストアクティブセットセル（１１ｂ）の通信レベルに対して、所定のレンジを設定する第１の設定手段と、
前記モニタセットセル（１１ｄ）の通信レベルが前記所定のレンジ内に入っていない場合、前記所定の期間（ｔｉｍｅ−ｔｏ−ｔｒｉｇｇｅｒ）として第１の期間（β）を設定し、前記モニタセットセル（１１ｄ）の通信レベルが前記所定のレンジ内に入っている場合、前記所定の期間（ｔｉｍｅ−ｔｏ−ｔｒｉｇｇｅｒ）として、前記第１の期間よりも短い第２の期間を設定する第２の設定手段と
を含む、移動体通信システム。
【請求項５】
前記イベントは、３ＧＰＰ（３ｒｄ  Ｇｅｎｅｒａｔｉｏｎ  Ｐａｒｔｎｅｒｓｈｉｐ  Ｐｒｏｊｅｃｔ）によって規定された通信方式における、イベント１Ｃである、請求の範囲４に記載の移動体通信システム。
【請求項６】
前記第２の期間は、前記ベストアクティブセットセル（１１ｂ）の通信レベルに応じて可変である、請求の範囲４に記載の移動体通信システム。
【請求項７】
ネットワーク上位装置（１０）と、複数のセル（１１ａ〜１１ｄ）と、移動機（１２）とを備える移動体通信システムにおいて、
前記複数のセル（１１ａ〜１１ｄ）は、モニタセットセル（１１ｄ）と、複数のアクティブセットセル（１１ａ〜１１ｃ）とを含み、
前記複数のアクティブセットセル（１１ａ〜１１ｃ）のうちの所定のアクティブセットセルの通信レベルに対して、所定のレポーティングレンジ（Ｒ１ａ）が設定されており、
前記移動機（１２）は、前記モニタセットセル（１１ｄ）の通信レベルが、前記所定のレポーティングレンジ（Ｒ１ａ）内に入っている場合に、セルの追加に関するイベントの発生を、前記複数のアクティブセットセル（１１ａ〜１１ｃ）を介して前記ネットワーク上位装置（１０）に報告する制御部（３０）を有し、
前記ネットワーク上位装置（１０）は、前記モニタセットセル（１１ｄ）の通信レベルが、前記複数のアクティブセットセル（１１ａ〜１１ｃ）の中の任意のアクティブセットセルの通信レベルよりも高い場合、前記移動機（１２）に、前記モニタセットセル（１１ｄ）と、前記複数のアクティブセットセル（１１ａ〜１１ｃ）のうち通信レベルが最低のワーストアクティブセットセル（１１ｃ）とを入れ替えさせる機能を有する、移動体通信システム。
【請求項８】
前記所定のアクティブセットセルは、前記複数のアクティブセットセルのうち通信レベルが最高のベストアクティブセットセル（１１ｂ）である、請求の範囲７に記載の移動体通信システム。
【請求項９】
前記イベントは、３ＧＰＰ（３ｒｄ  Ｇｅｎｅｒａｔｉｏｎ  Ｐａｒｔｎｅｒｓｈｉｐ  Ｐｒｏｊｅｃｔ）によって規定された通信方式における、イベント１Ａである、請求の範囲７に記載の移動体通信システム。
【請求項１０】
ネットワーク上位装置（１０）と、複数のセル（１１ａ〜１１ｄ）と、移動機（１２）とを備える移動体通信システムにおいて、
前記複数のセル（１１ａ〜１１ｄ）は、モニタセットセル（１１ｄ）と、複数のアクティブセットセル（１１ａ〜１１ｃ）とを含み、
前記移動機（１２）は、前記複数のセル（１１ａ〜１１ｄ）のうち通信レベルが最高のベストセルが変更された場合、ベストセルの変更に関するイベントの発生を、前記複数のアクティブセットセル（１１ａ〜１１ｃ）を介して前記ネットワーク上位装置（１０）に報告する制御部（３０）を有し、
前記ネットワーク上位装置（１０）は、変更後の前記ベストセルが前記モニタセットセル（１１ｄ）である場合、前記移動機（１２）に、前記モニタセットセル（１１ｄ）と、前記複数のアクティブセットセル（１１ａ〜１１ｃ）のうち通信レベルが最低のワーストアクティブセットセル（１１ｃ）とを入れ替えさせる機能を有する、移動体通信システム。
【請求項１１】
前記イベントは、３ＧＰＰ（３ｒｄ  Ｇｅｎｅｒａｔｉｏｎ  Ｐａｒｔｎｅｒｓｈｉｐ  Ｐｒｏｊｅｃｔ）によって規定された通信方式における、イベント１Ｄである、請求の範囲１０に記載の移動体通信システム。
【請求項１２】
モニタセットセル（１１ｄ）の通信レベルが、複数のアクティブセットセル（１１ａ〜１１ｃ）のうち通信レベルが最低のワーストアクティブセットセル（１１ｃ）の通信レベルと、予め設定された所定のしきい値（Ｈ）との加算値以上になった場合に、セルの入れ替えに関するイベントの発生を、前記複数のアクティブセットセル（１１ａ〜１１ｃ）を介してネットワーク上位装置（１０）に報告する制御部（３０）を備え、
前記制御部（３０）は、
前記複数のアクティブセットセル（１１ａ〜１１ｃ）のうち通信レベルが最高のベストアクティブセットセル（１１ｂ）の通信レベルに対して、所定のレンジを設定する第１の設定手段と、
前記モニタセットセル（１１ｄ）の通信レベルが前記所定のレンジ内に入っていない場合、前記所定のしきい値（Ｈ）として第１の値（Ｈ１ｃ）を設定し、前記モニタセットセル（１１ｄ）の通信レベルが前記所定のレンジ内に入っている場合、前記所定のしきい値（Ｈ）として、前記第１の値（Ｈ１ｃ）よりも低い第２の値（α）を設定する第２の設定手段と
を含む、移動機。
【請求項１３】
前記イベントは、３ＧＰＰ（３ｒｄ  Ｇｅｎｅｒａｔｉｏｎ  Ｐａｒｔｎｅｒｓｈｉｐ  Ｐｒｏｊｅｃｔ）によって規定された通信方式における、イベント１Ｃである、請求の範囲１２に記載の移動機。
【請求項１４】
前記第２の値（α）は、前記ベストアクティブセットセル（１１ｂ）の通信レベルに応じて可変である、請求の範囲１２に記載の移動機。
【請求項１５】
モニタセットセル（１１ｄ）の通信レベルが、複数のアクティブセットセル（１１ａ〜１１ｃ）のうち通信レベルが最低のワーストアクティブセットセル（１１ｃ）の通信レベルと、所定のしきい値（Ｈ１ｃ／２）との加算値以上になっている状態が、予め設定された所定の期間（ｔｉｍｅ−ｔｏ−ｔｒｉｇｇｅｒ）以上持続された場合に、セルの入れ替えに関するイベントの発生を、前記複数のアクティブセットセル（１１ａ〜１１ｃ）を介してネットワーク上位装置（１０）に報告する制御部（３０）を備え、
前記制御部（３０）は、
前記複数のアクティブセットセル（１１ａ〜１１ｃ）のうち通信レベルが最高のベストアクティブセットセル（１１ｂ）の通信レベルに対して、所定のレンジを設定する第１の設定手段と、
前記モニタセットセル（１１ｄ）の通信レベルが前記所定のレンジ内に入っていない場合、前記所定の期間（ｔｉｍｅ−ｔｏ−ｔｒｉｇｇｅｒ）として第１の期間（β）を設定し、前記モニタセットセル（１１ｄ）の通信レベルが前記所定のレンジ内に入っている場合、前記所定の期間（ｔｉｍｅ−ｔｏ−ｔｒｉｇｇｅｒ）として、前記第１の期間よりも短い第２の期間を設定する第２の設定手段と
を含む、移動機。
【請求項１６】
前記イベントは、３ＧＰＰ（３ｒｄ  Ｇｅｎｅｒａｔｉｏｎ  Ｐａｒｔｎｅｒｓｈｉｐ  Ｐｒｏｊｅｃｔ）によって規定された通信方式における、イベント１Ｃである、請求の範囲１５に記載の移動機。
【請求項１７】
前記第２の期間は、前記ベストアクティブセットセル（１１ｂ）の通信レベルに応じて可変である、請求の範囲１５に記載の移動機。
【請求項１８】
モニタセットセル（１１ｄ）の通信レベルが、複数のアクティブセットセル（１１ａ〜１１ｃ）のうちの所定のアクティブセットセルの通信レベルに対して設定された所定のレポーティングレンジ（Ｒ１ａ）内に入っている場合に、セルの追加に関するイベントの発生の報告を、移動機（１２）から前記複数のアクティブセットセル（１１ａ〜１１ｃ）を介して受け取る第１の機能と、
前記モニタセットセル（１１ｄ）の通信レベルが、前記複数のアクティブセットセル（１１ａ〜１１ｃ）の中の任意のアクティブセットセルの通信レベルよりも高い場合、前記移動機（１２）に、前記モニタセットセル（１１ｄ）と、前記複数のアクティブセットセル（１１ａ〜１１ｃ）のうち通信レベルが最低のワーストアクティブセットセル（１１ｃ）とを入れ替えさせる第２の機能と
を備える、ネットワーク上位装置。
【請求項１９】
前記所定のアクティブセットセルは、前記複数のアクティブセットセルのうち通信レベルが最高のベストアクティブセットセル（１１ｂ）である、請求の範囲１８に記載のネットワーク上位装置。
【請求項２０】
前記イベントは、３ＧＰＰ（３ｒｄ  Ｇｅｎｅｒａｔｉｏｎ  Ｐａｒｔｎｅｒｓｈｉｐ  Ｐｒｏｊｅｃｔ）によって規定された通信方式における、イベント１Ａである、請求の範囲１８に記載のネットワーク上位装置。
【請求項２１】
複数のセル（１１ａ〜１１ｄ）のうち通信レベルが最高のベストセルが変更された場合、ベストセルの変更に関するイベントの発生の報告を、移動機（１２）から前記複数のアクティブセットセル（１１ａ〜１１ｃ）を介して受け取る第１の機能と、
変更後の前記ベストセルが前記モニタセットセル（１１ｄ）である場合、前記移動機（１２）に、前記モニタセットセル（１１ｄ）と、前記複数のアクティブセットセル（１１ａ〜１１ｃ）のうち通信レベルが最低のワーストアクティブセットセル（１１ｃ）とを入れ替えさせる第２の機能と
を備える、ネットワーク上位装置。
【請求項２２】
前記イベントは、３ＧＰＰ（３ｒｄ  Ｇｅｎｅｒａｔｉｏｎ  Ｐａｒｔｎｅｒｓｈｉｐ  Ｐｒｏｊｅｃｔ）によって規定された通信方式における、イベント１Ｄである、請求の範囲２１に記載のネットワーク上位装置。
【発明の詳細な説明】
【技術分野】  本発明は、移動体通信システムに関し、特に、３ＧＰＰ（３ｒｄ  Ｇｅｎｅｒａｔｉｏｎ  Ｐａｒｔｎｅｒｓｈｉｐ  Ｐｒｏｊｅｃｔ）によって規定されたソフトハンドオーバ機能を有する移動体通信システムに関する。また、本発明は、移動体通信システムを構成する移動機及びネットワーク上位装置に関する。
【背景技術】  移動体通信システムでは、ユーザが移動しながら通話を行っている場合であっても通話が途切れないようにするために、ハンドオーバ機能が設けられている。第三世代携帯電話方式はＷ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）方式とも呼ばれており、この方式によると、周波数が同じであれば、移動機は同時に複数の基地局（セルと呼ばれている）と通信することができる。そのため、移動しながらの通話の場合には、移動機が現在通信している第１の基地局との通信を維持したまま、新たな第２の基地局との通信を開始し、その後、第１の基地局との通信レベルが低下した場合に、第１の基地局との通信が遮断される。このようなハンドオーバは、ソフトハンドオーバ（Ｓｏｆｔ  Ｈａｎｄｏｖｅｒ：ＳＨＯ）又はダイバシティハンドオーバ（Ｄｉｖｅｒｓｉｔｙ  Ｈａｎｄｏｖｅｒ：ＤＨＯ）と呼ばれており、移動機が複数の基地局と通信している状態は、ソフトハンドオーバ状態又はダイバシティハンドオーバ状態と呼ばれている。
なお、ハンドオーバ機能を有する従来の移動体通信システムに関する技術は、下記の特許文献１に開示されている。
【特許文献１】          特開２００２−１１２３１１号公報
しかしながら、従来の移動体通信システムによると、ハンドオーバ機能が不十分であるという問題があった。
【発明の開示】
本発明は、上記の問題を解決し、ハンドオーバ機能を向上することを目的とする。
本発明に係る移動体通信システムの第１の態様によれば、ネットワーク上位装置と、複数のセルと、移動機とを備える移動体通信システムにおいて、複数のセルは、モニタセットセルと、複数のアクティブセットセルとを含み、移動機は、モニタセットセルの通信レベルが、複数のアクティブセットセルのうち通信レベルが最低のワーストアクティブセットセルの通信レベルと、予め設定された所定のしきい値との加算値以上になった場合に、セルの入れ替えに関するイベントの発生を、複数のアクティブセットセルを介してネットワーク上位装置に報告する制御部を有し、制御部は、複数のアクティブセットセルのうち通信レベルが最高のベストアクティブセットセルの通信レベルに対して、所定のレンジを設定する第１の設定手段と、モニタセットセルの通信レベルが所定のレンジ内に入っていない場合、所定のしきい値として第１の値を設定し、モニタセットセルの通信レベルが所定のレンジ内に入っている場合、所定のしきい値として、第１の値よりも低い第２の値を設定する第２の設定手段とを含む。
よって、モニタセットセルの通信レベルが所定のレンジ内に入っている場合に、ワーストアクティブセットセルとモニタセットセルとの入れ替えを、早期に実行することができる。
本発明に係る移動体通信システムの第２の態様によれば、ネットワーク上位装置と、複数のセルと、移動機とを備える移動体通信システムにおいて、複数のセルは、モニタセットセルと、複数のアクティブセットセルとを含み、移動機は、モニタセットセルの通信レベルが、複数のアクティブセットセルのうち通信レベルが最低のワーストアクティブセットセルの通信レベルと、所定のしきい値との加算値以上になっている状態が、予め設定された所定の期間以上持続された場合に、セルの入れ替えに関するイベントの発生を、複数のアクティブセットセルを介してネットワーク上位装置に報告する制御部を有し、制御部は、複数のアクティブセットセルのうち通信レベルが最高のベストアクティブセットセルの通信レベルに対して、所定のレンジを設定する第１の設定手段と、モニタセットセルの通信レベルが所定のレンジ内に入っていない場合、所定の期間として第１の期間を設定し、モニタセットセルの通信レベルが所定のレンジ内に入っている場合、所定の期間として、第１の期間よりも短い第２の期間を設定する第２の設定手段とを含む。
よって、モニタセットセルの通信レベルが所定のレンジ内に入っている場合に、ワーストアクティブセットセルとモニタセットセルとの入れ替えを、早期に実行することができる。
本発明に係る移動体通信システムの第３の態様によれば、ネットワーク上位装置と、複数のセルと、移動機とを備える移動体通信システムにおいて、複数のセルは、モニタセットセルと、複数のアクティブセットセルとを含み、複数のアクティブセットセルのうちの所定のアクティブセットセルの通信レベルに対して、所定のレポーティングレンジが設定されており、移動機は、モニタセットセルの通信レベルが、所定のレポーティングレンジ内に入っている場合に、セルの追加に関するイベントの発生を、複数のアクティブセットセルを介してネットワーク上位装置に報告する制御部を有し、ネットワーク上位装置は、モニタセットセルの通信レベルが、複数のアクティブセットセルの中の任意のアクティブセットセルの通信レベルよりも高い場合、移動機に、モニタセットセルと、複数のアクティブセットセルのうち通信レベルが最低のワーストアクティブセットセルとを入れ替えさせる機能を有する。
よって、モニタセットセルの通信レベルが所定のレポーティングレンジ内に入っている場合に、ワーストアクティブセットセルとモニタセットセルとの入れ替えを、早期に実行することができる。
本発明に係る移動体通信システムの第４の態様によれば、ネットワーク上位装置と、複数のセルと、移動機とを備える移動体通信システムにおいて、複数のセルは、モニタセットセルと、複数のアクティブセットセルとを含み、移動機は、複数のセルのうち通信レベルが最高のベストセルが変更された場合、ベストセルの変更に関するイベントの発生を、複数のアクティブセットセルを介してネットワーク上位装置に報告する制御部を有し、ネットワーク上位装置は、変更後のベストセルがモニタセットセルである場合、移動機に、モニタセットセルと、複数のアクティブセットセルのうち通信レベルが最低のワーストアクティブセットセルとを入れ替えさせる機能を有する。
よって、モニタセットセルがベストセルである場合に、ワーストアクティブセットセルとモニタセットセルとの入れ替えを、早期に実行することができる。
本発明に係る移動機の第１の態様によれば、モニタセットセルの通信レベルが、複数のアクティブセットセルのうち通信レベルが最低のワーストアクティブセットセルの通信レベルと、予め設定された所定のしきい値との加算値以上になった場合に、セルの入れ替えに関するイベントの発生を、複数のアクティブセットセルを介してネットワーク上位装置に報告する制御部を備え、制御部は、複数のアクティブセットセルのうち通信レベルが最高のベストアクティブセットセルの通信レベルに対して、所定のレンジを設定する第１の設定手段と、モニタセットセルの通信レベルが所定のレンジ内に入っていない場合、所定のしきい値として第１の値を設定し、モニタセットセルの通信レベルが所定のレンジ内に入っている場合、所定のしきい値として、第１の値よりも低い第２の値を設定する第２の設定手段とを含む。
よって、モニタセットセルの通信レベルが所定のレンジ内に入っている場合に、ワーストアクティブセットセルとモニタセットセルとの入れ替えを、早期に実行することができる。
本発明に係る移動機の第２の態様によれば、モニタセットセルの通信レベルが、複数のアクティブセットセルのうち通信レベルが最低のワーストアクティブセットセルの通信レベルと、所定のしきい値との加算値以上になっている状態が、予め設定された所定の期間以上持続された場合に、セルの入れ替えに関するイベントの発生を、複数のアクティブセットセルを介してネットワーク上位装置に報告する制御部を備え、制御部は、複数のアクティブセットセルのうち通信レベルが最高のベストアクティブセットセルの通信レベルに対して、所定のレンジを設定する第１の設定手段と、モニタセットセルの通信レベルが所定のレンジ内に入っていない場合、所定の期間として第１の期間を設定し、モニタセットセルの通信レベルが所定のレンジ内に入っている場合、所定の期間として、第１の期間よりも短い第２の期間を設定する第２の設定手段とを含む。
よって、モニタセットセルの通信レベルが所定のレンジ内に入っている場合に、ワーストアクティブセットセルとモニタセットセルとの入れ替えを、早期に実行することができる。
本発明に係るネットワーク上位装置の第１の態様によれば、モニタセットセルの通信レベルが、複数のアクティブセットセルのうちの所定のアクティブセットセルの通信レベルに対して設定された所定のレポーティングレンジ内に入っている場合に、セルの追加に関するイベントの発生の報告を、移動機から複数のアクティブセットセルを介して受け取る第１の機能と、モニタセットセルの通信レベルが、複数のアクティブセットセルの中の任意のアクティブセットセルの通信レベルよりも高い場合、移動機に、モニタセットセルと、複数のアクティブセットセルのうち通信レベルが最低のワーストアクティブセットセルとを入れ替えさせる第２の機能とを備える。
よって、モニタセットセルの通信レベルが所定のレポーティングレンジ内に入っている場合に、ワーストアクティブセットセルとモニタセットセルとの入れ替えを、早期に実行することができる。
本発明に係るネットワーク上位装置の第２の態様によれば、複数のセルのうち通信レベルが最高のベストセルが変更された場合、ベストセルの変更に関するイベントの発生の報告を、移動機から複数のアクティブセットセルを介して受け取る第１の機能と、変更後のベストセルがモニタセットセルである場合、移動機に、モニタセットセルと、複数のアクティブセットセルのうち通信レベルが最低のワーストアクティブセットセルとを入れ替えさせる第２の機能とを備える。
よって、モニタセットセルがベストセルである場合に、ワーストアクティブセットセルとモニタセットセルとの入れ替えを、早期に実行することができる。
この発明の目的、特徴、局面、および利点は、以下の詳細な説明と添付図面とによって、より明白となる。
【図面の簡単な説明】  図１は、本発明の前提技術に係る移動体通信システムの構成を示すブロック図である。
図２は、本発明の前提技術に係る移動体通信システムに関して、移動機の構成を示すブロック図である。
図３は、本発明の前提技術に係る移動体通信システムに関して、イベント１Ａ，１Ｂを説明するための図である。
図４は、本発明の前提技術に係る移動体通信システムに関して、イベント１Ｃを説明するための図である。
図５は、イベント１Ｃに関して、移動機とネットワークとの間でのメッセージの授受を示す概念図である。
図６は、本発明の前提技術に係る移動体通信システムに関して、イベント１Ｃの判定に関する移動機の動作を示すフローチャートである。
図７は、本発明の前提技術に係る移動体通信システムにおける不具合を説明するための図である。
図８は、本発明の実施の形態１に係る移動体通信システムに関し、移動機の構成を示すブロック図である。
図９は、本発明の実施の形態１に係る移動体通信システムに関し、イベント１Ｃの判定に関する移動機の動作を示すフローチャートである。
図１０は、本発明の実施の形態１に係る移動体通信システムに関し、イベント１Ｃを説明するための図である。
図１１は、本発明の実施の形態２に係る移動体通信システムに関し、移動機の構成を示すブロック図である。
図１２は、本発明の実施の形態２に係る移動体通信システムに関し、イベント１Ｃの判定に関する移動機の動作を示すフローチャートである。
図１３は、本発明の実施の形態２に係る移動体通信システムに関し、イベント１Ｃを説明するための図である。
図１４は、本発明の実施の形態２の変形例に係る移動体通信システムに関し、移動機の構成を示すブロック図である。
図１５は、本発明の実施の形態３に係る移動体通信システムに関し、移動機からイベント１Ａの報告を受けた際のネットワーク上位装置の動作を示すフローチャートである。
図１６は、本発明の実施の形態３に係る移動体通信システムに関し、イベント１Ａを説明するための図である。
図１７は、本発明の実施の形態４に係る移動体通信システムに関し、移動機からイベント１Ｄの報告を受けた際のネットワーク上位装置の動作を示すフローチャートである。
図１８は、本発明の実施の形態４に係る移動体通信システムに関し、イベント１Ｄを説明するための図である。
【発明を実施するための最良の形態】  本発明に係る移動体通信システムの実施の形態について説明する前に、本発明の前提技術に係る移動体通信システムについて説明する。
図１は、本発明の前提技術に係る移動体通信システムの構成を示すブロック図である。移動体通信システムは、ネットワーク上位装置１０と、基地局装置（セル）１１ａ〜１１ｄと、移動機１２とを備えており、例えばＷ−ＣＤＭＡ方式に従って動作する。ネットワーク上位装置１０及びセル１１ａ〜１１ｄは、総称してネットワークと呼ばれている。ネットワーク上位装置１０は、無線ネットワーク制御装置（Ｒａｄｉｏ  Ｎｅｔｗｏｒｋ  Ｃｏｎｔｒｏｌｌｅｒ：ＲＮＣ）等によって構成されており、ネットワーク全体の動作を統括する。セル１１ａ〜１１ｄは、移動機１２と無線通信を行う。ユーザは、移動機１２を用いて、通話やデータ通信等を行う。
図２は、移動機１２の構成を示すブロック図である。移動機１２は、制御部２０と、ベースバンド部２２と、無線部２３と、アンテナ部２４とを備えている。制御部２０はＣＰＵ２１を有しており、ＣＰＵ２１は所定の制御ソフトウェアに従って動作する。ベースバンド部２２は、移動機１２とネットワークとの間で授受される情報をディジタル信号化する。無線部２３は、無線電波として伝送できるようにディジタル信号を変調する。アンテナ部２４は、無線電波の入出口となる部位である。
３ＧＰＰによって規定されているソフトハンドオーバ処理は、３ＧＰＰの技術仕様書ＴＳ２５．３３１  Ｖ３．１１．０に記述されている。以下、ソフトハンドオーバ処理の概要について説明する。
移動機は、通信中又は待ち受け中のセルによって指示された周辺セルの第一共通パイロットチャネル（ＰＣＰＩＣＨ）の電波状況（通信レベル）を、定期的に測定する。この処理は、メジャメント処理と呼ばれている。セルと移動機との通信回線はＲＬ（Ｒａｄｉｏ  Ｌｉｎｋ）と呼ばれており、具体的にソフトハンドオーバ処理は、ＲＬの追加、削除、及び入れ替え等の処理を意味する。また、移動機と通信しているセルはアクティブセットセルと呼ばれており、移動機と通信はしていないがメジャメント処理が行われているセルは、モニタセットセルと呼ばれている。
定期的なメジャメント処理の結果、モニタセットセルと移動機との通信レベルが高くなった場合、又はその可能性がある場合、移動機は、その事実（イベント）が発生した旨をアクティブセットセルを介してネットワーク上位装置に報告する。このイベントはイベント１Ａと呼ばれている。イベント１Ａの報告を受けたネットワーク上位装置は、典型的な処理として、移動機にモニタセットセルとの通信を行わせる。本明細書では、この処理をＲＬ追加処理と称する。ＲＬ追加処理が行われることによって、モニタセットセルはアクティブセットセルとなる。
また、移動機が複数のアクティブセットセルと通信中に、定期的なメジャメント処理の結果、いずれかのアクティブセットセルと移動機との通信レベルが低下したことが判明した場合、移動機は、その事実（イベント）が発生した旨をアクティブセットセルを介してネットワーク上位装置に報告する。このイベントはイベント１Ｂと呼ばれている。イベント１Ｂの報告を受けたネットワーク上位装置は、典型的な処理として、移動機に、通信レベルが低下したアクティブセットセルとの通信を遮断させる。本明細書では、この処理をＲＬ削除処理と称する。ＲＬ削除処理が行われることによって、当該アクティブセットセルはモニタセットセルとなる。
図３は、イベント１Ａ，１Ｂを説明するための図である。複数のアクティブセットセルのうち、移動機との通信レベルが最も高いアクティブセットセルを、本明細書においてベストアクティブセットセルと称する。図３を参照して、セル１１ａのみがアクティブセットセルである場合（即ち、セル１１ａがベストアクティブセットセルである場合）に、セル１１ｂと移動機１２との通信レベルが、イベント１Ａに関するレポーティングレンジＲ１ａ内に入るまで上昇したことにより、イベント１Ａが発生している。なお、レポーティングレンジＲ１ａは、ベストアクティブセットセル１１ａの通信レベルに対して設定されている。
また、セル１１ａ，１１ｂがアクティブセットセルである場合に、セル１１ｂと移動機１２との通信レベルが、イベント１Ｂに関するレポーティングレンジＲ１ｂから出るまで低下したことにより、イベント１Ｂが発生している。なお、レポーティングレンジＲ１ｂは、ベストアクティブセットセル１１ａの通信レベルに対して設定されている。
移動機が同時に通信することが可能なアクティブセットセルの最大数は、最大ＲＬ数と呼ばれている。また、複数のアクティブセットセルのうち、移動機との通信レベルが最も低いアクティブセットセルを、本明細書においてワーストアクティブセットセルと称する。移動機が最大ＲＬ数で通信中に、定期的なメジャメント処理の結果、ワーストアクティブセットセルと移動機との通信レベルよりも、モニタセットセルと移動機との通信レベルのほうが高くなった場合、又はその可能性がある場合、移動機は、その事実（イベント）が発生した旨をアクティブセットセルを介してネットワーク上位装置に報告する。このイベントはイベント１Ｃと呼ばれている。イベント１Ｃの報告を受けたネットワーク上位装置は、典型的な処理として、移動機に、ワーストアクティブセットセルとモニタセットセルとを入れ替えさせる。本明細書では、この処理をＲＬ入れ替え処理と称する。ＲＬ入れ替え処理が行われることによって、ワーストアクティブセットセルはモニタセットセルとなり、モニタセットセルはアクティブセットセルとなる。ＲＬ入れ替え処理は、結果的に、ＲＬ削除処理とＲＬ追加処理とが連続的に実行されるのと同等である。
移動機が通信レベルの微弱な揺れ（ばたつき）に反応して頻繁にイベント１Ｃの発生を報告する事態を回避すべく、イベント１Ｃには、ばたつき防止しきい値Ｈ１ｃが設定されている。具体的には、モニタセットセルと移動機との通信レベルが、ワーストアクティブセットセルと移動機との通信レベルと、ばたつき防止しきい値Ｈ１ｃとの加算値以上にならなければ、イベント１Ｃは発生しない。
同様に、イベント１Ａについてもばたつき防止しきい値Ｈ１ａが設定されている。モニタセットセルと移動機との通信レベルが、レポーティングレンジＲ１ａをばたつき防止しきい値Ｈ１ａ以上上回らなければ、イベント１Ａは発生しない。同様に、イベント１Ｂについてもばたつき防止しきい値Ｈ１ｂが設定されている。ワーストアクティブセットセルと移動機との通信レベルが、レポーティングレンジＲ１ｂをばたつき防止しきい値Ｈ１ｂ以上下回らなければ、イベント１Ｂは発生しない。
本発明の前提技術に係る移動体通信システムにおいて、ばたつき防止しきい値Ｈ１ａ〜Ｈ１ｃは、報知情報又は制御メッセージとしてネットワークから指示される一定値であり、通信レベル等に応じて動的に変化するものではない。
図４は、イベント１Ｃを説明するための図である。ここでは、最大ＲＬ数が「３」である場合の例を示している。セル１１ａ〜１１ｃがアクティブセットセルである場合に、モニタセットセル１１ｄと移動機１２との通信レベルが、ワーストアクティブセットセル１１ｃと移動機１２との通信レベルと、ばたつき防止しきい値Ｈ１ｃとの加算値以上になったことにより、イベント１Ｃが発生している。なお、図４において「Ｈ１ｃ」ではなく「Ｈ１ｃ／２」となっているのは、基準値（セル１１ｃの通信レベル）のプラス方向及びマイナス方向にそれぞれＨ１ｃ／２ずつ設定することにより、全体としてＨ１ｃの範囲内のばたつきが許容されているからである。
図５は、イベント１Ｃに関して、移動機１２とネットワークとの間でのメッセージの授受を示す概念図である。イベント１Ｃの発生を検出した移動機１２は、イベント１Ｃの発生を通知するｍｅａｓｕｒｅｍｅｎｔ  ｒｅｐｏｐｔを、ネットワークに送信する。ｍｅａｓｕｒｅｍｅｎｔ  ｒｅｐｏｒｔを受信したネットワークは、セルの入れ替えに関する命令であるａｃｔｉｖｅ  ｓｅｔ  ｕｐｄａｔｅを、移動機１２に送信する。移動機１２は、ａｃｔｉｖｅ  ｓｅｔ  ｕｐｄａｔｅに従って、ワーストアクティブセットセル１１ｃとの通信を遮断するとともに、モニタセットセル１１ｄとの通信を開始する。即ち、セルの入れ替え処理を行う。この処理が完了した後、移動機１２は、処理の完了を通知するａｃｔｉｖｅ  ｓｅｔ  ｕｐｄａｔｅ  ｃｏｍｐｌｅｔｅを、ネットワークに送信する。
その他、イベント１Ｄ，１Ｅ，１Ｆ等のイベントが存在するが、ここでは詳しく述べない。
移動機に対してどのイベントの発生を監視及び報告させるかは、報知情報又は制御メッセージとして、ネットワークから移動機に指示されている。移動機は、定期的にメジャメント処理を行うことにより、指示されたイベントの監視を行い、イベントが発生した場合にはその旨をネットワークに報告する。これにより、ソフトハンドオーバ処理が開始される。
一般的に、移動機が最大ＲＬ数で通信している場合には、それ以上アクティブセットセルを追加できないため、移動機は、イベント１Ａの監視及び報告を行わないようにネットワークから指示を受ける。具体的には、イベント１Ａに関する不活性化しきい値（ｄｅａｃｔｉｖａｔｉｏｎ  ｔｈｒｅｓｈｏｌｄ）が報知情報又は制御メッセージ中に含まれており、移動機は、アクティブセットセルの数（ＲＬ数）がイベント１Ａに関する不活性化しきい値に達した時点で、イベント１Ａの監視を自動的に停止する。また、移動機は、ＲＬ数がイベント１Ａに関する不活性化しきい値未満になった時点で、イベント１Ａの監視を開始する。
また、移動機が最大ＲＬ数未満で通信している場合には、セルの入れ替えを行う必要がないため、移動機は、イベント１Ｃの監視及び報告を行わないようにネットワークから指示を受ける。具体的には、イベント１Ｃに関する活性化しきい値が報知情報又は制御メッセージ中に含まれており、移動機は、ＲＬ数がイベント１Ｃに関する活性化しきい値に達した時点で、イベント１Ｃの監視を自動的に開始する。また、移動機は、ＲＬ数がイベント１Ｃに関する活性化しきい値未満になった時点で、イベント１Ｃの監視を停止する。
３ＧＰＰによって規定されている、イベント１Ａ〜１Ｃの発生を判断するための判定式を、それぞれ下記の式（１）〜（３）に示す。イベント１Ａ〜１Ｃの各判定式は、セルの通信レベルを、伝搬損失（Ｐａｔｈｌｏｓｓ）により計測するか、受信信号コード電力（Ｒｅｃｅｉｖｅｄ  Ｓｉｇｎａｌ  Ｃｏｄｅ  Ｐｏｗｅｒ：ＲＳＣＰ）により計測するか、あるいは全受信電力と所望コードの電力との比（Ｅｃ／Ｎｏ）により計測するかによって異なる。下記の式（１）〜（３）は、ＲＳＣＰにより計測する場合の判定式である。
2005002268.tif 000003
なお、簡略化のため、図３にはＷ＝Ｈ１ａ＝Ｈ１ｂ＝ＣＩＯＮｅｗ＝０の場合の例を示し、図４にはＣＩＯＩｎＡＳ＝０の場合の例を示した。
図６は、イベント１Ｃの判定に関する移動機の動作を示すフローチャートである。上記の通り移動機はメジャメント処理を定期的に実行するが、図６に示した判定処理は、メジャメント処理が実行される度に行われる。以下、図１，４，６を参照して、イベント１Ｃの判定に関する移動機１２の動作について説明する。
まず、ステップＳ１００において、移動機１２は、モニタセットセル１１ｄが、上記の式（３）で与えられるイベント１Ｃに関する判定式を満足しているか否かを判定する。ステップＳ１００における判定の結果が「ＹＥＳ」である場合はステップＳ１０１に進み、移動機１２は、所定期間が経過したか否かを判定するためのタイマが起動されているか否かを判定する。この所定期間は、ｔｉｍｅ−ｔｏ−ｔｒｉｇｇｅｒの値（β）として、予め設定されている。
ステップＳ１０１における判定の結果が「ＹＥＳ」である場合はステップＳ１０２に進み、移動機１２は、所定期間が満了したか否かを判定する。ステップＳ１０２における判定の結果が「ＹＥＳ」である場合、即ち、イベント１Ｃに関する判定式が満足されている状態が所定期間以上持続された場合は、ステップＳ１０３に進み、移動機１２は、イベント１Ｃの発生をネットワーク上位装置１０に報告する。その後、イベント１Ｃの判定処理は終了する。
ステップＳ１００における判定の結果が「ＮＯ」である場合はステップＳ１０４に進み、移動機１２は、タイマが起動されていればこれを停止する。その後、イベント１Ｃの判定処理は終了する。
ステップＳ１０１における判定の結果が「ＮＯ」である場合はステップＳ１０５に進み、移動機１２は、タイマを起動する。その後、イベント１Ｃの判定処理は終了する。
ステップＳ１０２における判定の結果が「ＮＯ」である場合、移動機１２は、イベント１Ｃの判定処理を終了する。
このように、モニタセットセル１１ｄに関するメジャメント処理が実行される度に、図６に示した判定処理が行われる。そして、イベント１Ｃに関する判定式が満足されている状態が、ｔｉｍｅ−ｔｏ−ｔｒｉｇｇｅｒの値として予め設定されている所定期間以上持続された場合にのみ、移動機１２は、イベント１Ｃの発生をネットワークに報告する。
図７は、本発明の前提技術に係る移動体通信システムにおける不具合を説明するための図である。理想的には、モニタセットセル１１ｄの通信レベルが、ワーストアクティブセットセル１１ｃの通信レベルを超えた時点で、移動機１２がネットワークにイベント１Ｃの発生を報告し、ネットワークによってセルの入れ替えが行われるのが望ましい。しかしながら、ばたつき防止しきい値Ｈ１ｃが設定されているために、図７に示した例では、モニタセットセル１１ｄの通信レベルが、全てのアクティブセットセル１１ａ〜１１ｃの通信レベルを超えた後に、イベント１Ｃが発生している。このため、モニタセットセル１１ｄの電波が、アクティブセットセル１１ａ〜１１ｃに対して干渉波（妨害波）となってしまう。簡略化のため図７ではｔｉｍｅ−ｔｏ−ｔｒｉｇｇｅｒの値がゼロである場合の例を示しているが、もしｔｉｍｅ−ｔｏ−ｔｒｉｇｇｅｒの値がゼロよりも大きければイベント１Ｃの発生はさらに遅れるため、イベント１Ｃが発生した時点では、既に通信が不能な状態になっている場合も想定される。かかる不具合は、図７に示したように、アクティブセットセル１１ａ〜１１ｃの各通信レベルが互いに近似している場合に発生する可能性が高い。
都心等のビルが乱立している場所においては、セルと移動機との通信レベルは複雑に変化する。例えば、移動機までの距離は非常に近いが、ビルの影になっているために通信レベルが低く、アクティブセットセルとはなっていないセル（モニタセットセル）が存在する場合がある。このような場合、移動機を持ったユーザが広い交差点に差し掛かると、そのモニタセットセルの通信レベルが急激に上昇して、アクティブセットセルに対して干渉波となる場合がある。
また、一般的に、セルはほぼ水平方向に電波を送信している。従って、ビルの屋上に配設されているセルがアクティブセットセルである場合に、移動機を持ったユーザがそのビルの直下に差し掛かると、そのアクティブセットセルの通信レベルが急激に低下する。そのため、他の箇所に配設されているセル（モニタセットセル）の通信レベルが相対的に急激に上昇して、アクティブセットセルに対して干渉波となる場合がある。
このような場合に、本発明の前提技術に係る移動体通信システムにおける上記不具合が発生する可能性が高い。
１．実施の形態１
本発明の実施の形態１に係る移動体通信システムでは、ベストアクティブセットセルの通信レベルに対して、イマージェンシーレンジＥＲなる所定のレンジが設定される。そして、イベント１Ｃの判定において、移動機は、イベント１Ｃに関するばたつき防止しきい値Ｈとして、モニタセットセルの通信レベルがイマージェンシーレンジＥＲ内に入っていない場合は、第１の値（Ｈ１ｃ）を設定し、モニタセットセルの通信レベルがイマージェンシーレンジＥＲ内に入っている場合は、第１の値（Ｈ１ｃ）よりも低い第２の値（α）を設定する。
図８は、本実施の形態１に係る移動体通信システムに関し、移動機１２の構成を示すブロック図である。移動機１２は、制御部３０と、ベースバンド部４０と、無線部４１と、アンテナ部４２とを備えている。制御部３０はＣＰＵ３１を有しており、ＣＰＵ３１は所定の制御ソフトウェアに従って動作する。ベースバンド部４０は、移動機１２とネットワークとの間で授受される情報をディジタル信号化する。無線部４１は、無線電波として伝送できるようにディジタル信号を変調する。アンテナ部４２は、無線電波の入出口となる部位である。
制御部３０は、ｔｉｍｅ−ｔｏ−ｔｒｉｇｇｅｒの値（β）として予め設定されている所定期間が経過したか否かを判定するためのタイマ３７と、イマージェンシーレンジＥＲの値を保存するためのＥＲ保存部３８と、イベント１Ｃに関するばたつき防止しきい値Ｈ（即ちＨ１ｃ及びα）を保存するためのＨ保存部３９とをさらに有している。ＥＲ保存部３８及びＨ保存部３９は、例えば半導体メモリによって構成されている。ＣＰＵ３１は、イベント１Ｃ処理部３３と、メジャメント処理部３２と、イベント送信部３６とを有している。イベント１Ｃ処理部３３は、ＥＲ判定部３４と、イベント１Ｃ判定部３５とを有している。
メジャメント処理部３２は、アンテナ部４２、無線部４１、及びベースバンド部４０を通じて得られたデータに基づいて、電界強度や干渉量等の情報を計算する。イベント１Ｃ処理部３３は、メジャメント処理部３２によって起動される。
ＥＲ判定部３４は、イマージェンシーレンジＥＲの値をＥＲ保存部３８から取得して、モニタセットセルの通信レベルがイマージェンシーレンジＥＲ内に入っているか否かを判定する。
イマージェンシーレンジＥＲの値は、ＥＲ保存部３８に予め保存された定数値、又は、ベストアクティブセットセルの通信レベルに応じてＥＲ判定部３４が設定する変数値である。ベストアクティブセットセルの通信レベルが低いほど（即ち、通信が遮断される可能性が高いほど）、イマージェンシーレンジＥＲの値を大きくすることにより、イベント１Ｃを早期に発生させることができる。あるいは、ネットワークから送られてくる報知情報又は制御メッセージの中にイベント１Ｃに関するパラメータＥＲ１ｃを新設し、パラメータＥＲ１ｃの値をイマージェンシーレンジＥＲの値として採用してもよい。さらに、イベント１Ａに関するレポーティングレンジＲ１ａを、イマージェンシーレンジＥＲとして用いてもよい。
モニタセットセルの通信レベルがイマージェンシーレンジＥＲ内に入っていない場合は、イベント１Ｃに関するばたつき防止しきい値Ｈ１ｃが、Ｈ保存部３９から読み出される。一方、モニタセットセルの通信レベルがイマージェンシーレンジＥＲ内に入っている場合は、イベント１Ｃに関するばたつき防止しきい値α（＜Ｈ１ｃ）が、Ｈ保存部３９から読み出される。
ばたつき防止しきい値αの値は、Ｈ保存部３９に予め保存された定数値（ゼロを含む）、又は、ベストアクティブセットセルの通信レベルに応じて変化する変数値である。ベストアクティブセットセルの通信レベルが低いほど、ばたつき防止しきい値αの値を小さくすることにより、イベント１Ｃを早期に発生させることができる。あるいは、ネットワークから送られてくる報知情報又は制御メッセージの中にイベント１Ｃに関するパラメータＨ１ｃ２を新設し、パラメータＨ１ｃ２の値をばたつき防止しきい値αの値として採用してもよい。
イベント１Ｃ判定部３５は、ＥＲ判定部３４によって起動される。イベント１Ｃ判定部３５は、タイマ３７と、Ｈ保存部３９から取得したイベント１Ｃに関するばたつき防止しきい値Ｈとを用いて、イベント１Ｃの判定処理を行う。また、イベント１Ｃ判定部３５は、イベント１Ｃが発生した場合には、イベント送信部３６を起動する。イベント送信部３６は、ベースバンド部４０、無線部４１、及びアンテナ部４２を通じて、イベント１Ｃが発生した旨をネットワークに送信する。
図９は、本実施の形態１に係る移動体通信システムに関し、イベント１Ｃの判定に関する移動機１２の動作を示すフローチャートである。また、図１０は、イベント１Ｃを説明するための図である。図１０では、最大ＲＬ数が「３」であり、図１に示したセル１１ａ〜１１ｃがアクティブセットセル、セル１１ｄがモニタセットセルである場合を想定している。また、図１０に示した例では、イベント１Ａに関するレポーティングレンジＲ１ａが、イマージェンシーレンジＥＲとして採用されている。上記の通り移動機１２はメジャメント処理を定期的に実行するが、図９に示した判定処理は、メジャメント処理が実行される度に行われる。以下、図１，９，１０を参照して、イベント１Ｃの判定に関する移動機１２の動作について説明する。
まず、ステップＳ２１において、ＥＲ判定部３４は、モニタセットセル１１ｄの通信レベルがイマージェンシーレンジＥＲ内に入っているか否かを判定する。ステップＳ２１における判定の結果が「ＹＥＳ」である場合、即ち、モニタセットセル１１ｄの通信レベルがイマージェンシーレンジＥＲ内に入っている場合は、ステップＳ２２において、イベント１Ｃに関するばたつき防止しきい値αが設定される。即ち、上記の式（３）において、「Ｈ１ｃ」が「α」に変更される。図１０に示した例では、モニタセットセル１１ｄの通信レベルがイマージェンシーレンジＥＲ内に入っているため、イベント１Ｃに関するばたつき防止しきい値αが設定されている。一方、ステップＳ２１における判定の結果が「ＮＯ」である場合、即ち、モニタセットセル１１ｄの通信レベルがイマージェンシーレンジＥＲ内に入っていない場合は、ステップＳ２３において、イベント１Ｃに関するばたつき防止しきい値Ｈ１ｃが設定される。
次に、ステップＳ２４において、イベント１Ｃ判定部３５は、モニタセットセル１１ｄが、イベント１Ｃに関する判定式を満足しているか否かを判定する。ステップＳ２４における判定の結果が「ＹＥＳ」である場合はステップＳ２５に進み、イベント１Ｃ処理部３３は、所定期間が経過したか否かを判定するためのタイマ３７が起動されているか否かを判定する。この所定期間は、ｔｉｍｅ−ｔｏ−ｔｒｉｇｇｅｒの値（β）として、予め設定されている。
ステップＳ２５における判定の結果が「ＹＥＳ」である場合はステップＳ２６に進み、イベント１Ｃ処理部３３は、所定期間が満了したか否かを判定する。ステップＳ２６における判定の結果が「ＹＥＳ」である場合、即ち、イベント１Ｃに関する判定式が満足されている状態が所定期間以上持続された場合は、ステップＳ２７に進み、イベント送信部３６は、イベント１Ｃの発生を、アクティブセットセル１１ａ〜１１ｃを介してネットワーク上位装置１０に報告する。その後、イベント１Ｃの判定処理は終了する。
ステップＳ２４における判定の結果が「ＮＯ」である場合はステップＳ２８に進み、イベント１Ｃ処理部３３は、タイマ３７が起動されていればこれを停止する。その後、イベント１Ｃの判定処理は終了する。
ステップＳ２５における判定の結果が「ＮＯ」である場合はステップＳ２９に進み、イベント１Ｃ処理部３３は、タイマ３７を起動する。その後、イベント１Ｃの判定処理は終了する。
ステップＳ２６における判定の結果が「ＮＯ」である場合、イベント１Ｃ処理部３３は、イベント１Ｃの判定処理を終了する。
このように、モニタセットセル１１ｄに関するメジャメント処理が実行される度に、図９に示した判定処理が行われる。そして、イベント１Ｃに関する判定式が満足されている状態が、ｔｉｍｅ−ｔｏ−ｔｒｉｇｇｅｒの値として予め設定されている所定期間以上持続された場合にのみ、移動機１２は、イベント１Ｃの発生をネットワークに報告する。
このように本実施の形態１に係る移動体通信システムによれば、イベント１Ｃの判定において、移動機１２は、モニタセットセルの通信レベルがイマージェンシーレンジＥＲ内に入っている場合は、イベント１Ｃに関するばたつき防止しきい値Ｈとして、第１の値（Ｈ１ｃ）よりも低い第２の値（α）を設定する。従って、アクティブセットセル１１ａ〜１１ｃの各通信レベルが互いに近似している場合であっても、本発明の前提技術に係る移動体通信システムと比較すると、イベント１Ｃの発生を早期にネットワークに報告することができる。そのため、モニタセットセル１１ｄの電波がアクティブセットセル１１ａ〜１１ｃに対して致命的な干渉波となってしまう前に、セルの入れ替えが行われる可能性が高くなるため、本発明の前提技術に係る移動体通信システムにおける上記の不具合を解消できる。
また、ばたつき防止しきい値αとして、ベストアクティブセットセル１１ｂの通信レベルに応じて変化する変数値を採用することにより、本実施の形態１に係る移動体通信システムによって得られる上記効果は、より顕著となる。
２．実施の形態２
本発明の実施の形態２に係る移動体通信システムでは、イベント１Ｃの判定において、移動機は、ｔｉｍｅ−ｔｏ−ｔｒｉｇｇｅｒの値として、モニタセットセルの通信レベルがイマージェンシーレンジＥＲ内に入っていない場合は、第１の値（β）を設定し、モニタセットセルの通信レベルがイマージェンシーレンジＥＲ内に入っている場合は、第１の値よりも小さい第２の値を設定する。
図１１は、本実施の形態２に係る移動体通信システムに関し、移動機１２の構成を示すブロック図である。制御部３０は、ｔｉｍｅ−ｔｏ−ｔｒｉｇｇｅｒの値として設定されている期間が経過したか否かを判定するためのタイマ３７と、ｔｉｍｅ−ｔｏ−ｔｒｉｇｇｅｒの値を保存するためのｔｉｍｅ−ｔｏ−ｔｒｉｇｇｅｒ保存部４３とを有している。ｔｉｍｅ−ｔｏ−ｔｒｉｇｇｅｒ保存部４３は、例えば半導体メモリによって構成されている。
ｔｉｍｅ−ｔｏ−ｔｒｉｇｇｅｒの第２の値は、ｔｉｍｅ−ｔｏ−ｔｒｉｇｇｅｒ保存部４３に予め保存された定数値（ゼロを含む）、又は、ベストアクティブセットセルの通信レベルに応じて変化する変数値である。ベストアクティブセットセルの通信レベルが低いほど、ｔｉｍｅ−ｔｏ−ｔｒｉｇｇｅｒの第２の値を小さくすることにより、イベント１Ｃを早期に発生させることができる。あるいは、ネットワークから送られてくる報知情報又は制御メッセージの中にイベント１Ｃに関するパラメータｔｉｍｅ−ｔｏ−ｔｒｉｇｇｅｒ２を新設し、パラメータｔｉｍｅ−ｔｏ−ｔｒｉｇｇｅｒ２の値をｔｉｍｅ−ｔｏ−ｔｒｉｇｇｅｒの第２の値として採用してもよい。
図１２は、本実施の形態２に係る移動体通信システムに関し、イベント１Ｃの判定に関する移動機１２の動作を示すフローチャートである。また、図１３は、イベント１Ｃを説明するための図である。図１３では、最大ＲＬ数が「３」であり、図１に示したセル１１ａ〜１１ｃがアクティブセットセル、セル１１ｄがモニタセットセルであり、ｔｉｍｅ−ｔｏ−ｔｒｉｇｇｅｒの第２の値がゼロである場合を想定している。また、図１３に示した例では、イベント１Ａに関するレポーティングレンジＲ１ａが、イマージェンシーレンジＥＲとして採用されている。上記の通り移動機１２はメジャメント処理を定期的に実行するが、図１２に示した判定処理は、メジャメント処理が実行される度に行われる。以下、図１，１２，１３を参照して、イベント１Ｃの判定に関する移動機１２の動作について説明する。
まず、ステップＳ２１において、ＥＲ判定部３４は、モニタセットセル１１ｄの通信レベルがイマージェンシーレンジＥＲ内に入っているか否かを判定する。ステップＳ２１における判定の結果が「ＹＥＳ」である場合は、ステップＳ３１において、ｔｉｍｅ−ｔｏ−ｔｒｉｇｇｅｒの値が第２の値（ゼロ）に設定される。図１３に示した例では、モニタセットセル１１ｄの通信レベルがイマージェンシーレンジＥＲ内に入っているため、ｔｉｍｅ−ｔｏ−ｔｒｉｇｇｅｒの値が第２の値（ゼロ）に設定される。その結果、モニタセットセル１１ｄの通信レベルが、ワーストアクティブセットセル１１ｃの通信レベルと、ばたつき防止しきい値Ｈ１ｃ（厳密にはＨ１ｃ／２）との加算値以上になった直後に、イベント１Ｃが発生している。一方、ステップＳ２１における判定の結果が「ＮＯ」である場合は、ステップＳ３２において、ｔｉｍｅ−ｔｏ−ｔｒｉｇｇｅｒの値が第１の値（β）に設定される。
次に、ステップＳ２４において、イベント１Ｃ判定部３５は、モニタセットセル１１ｄが、イベント１Ｃに関する判定式を満足しているか否かを判定する。ステップＳ２４における判定の結果が「ＹＥＳ」である場合はステップＳ２５に進み、イベント１Ｃ処理部３３は、所定期間が経過したか否かを判定するためのタイマ３７が起動されているか否かを判定する。図１３に示した例では、この所定期間は、ｔｉｍｅ−ｔｏ−ｔｒｉｇｇｅｒの第２の値（ゼロ）として設定されている。
ステップＳ２５における判定の結果が「ＹＥＳ」である場合はステップＳ２６に進み、イベント１Ｃ処理部３３は、所定期間が満了したか否かを判定する。ステップＳ２６における判定の結果が「ＹＥＳ」である場合はステップＳ２７に進み、イベント送信部３６は、イベント１Ｃの発生を、アクティブセットセル１１ａ〜１１ｃを介してネットワーク上位装置１０に報告する。その後、イベント１Ｃの判定処理は終了する。
ステップＳ２４〜Ｓ２６における判定の結果がそれぞれ「ＮＯ」である場合の処理は上記実施の形態１と同様であるため、ここでの説明は省略する。
このように本実施の形態２に係る移動体通信システムによれば、イベント１Ｃの判定において、移動機１２は、モニタセットセルの通信レベルがイマージェンシーレンジＥＲ内に入っている場合は、ｔｉｍｅ−ｔｏ−ｔｒｉｇｇｅｒの値として、第１の値（β）よりも小さい第２の値を設定する。従って、アクティブセットセル１１ａ〜１１ｃの各通信レベルが互いに近似している場合であっても、本発明の前提技術に係る移動体通信システムと比較すると、イベント１Ｃの発生を早期にネットワークに報告することができる。そのため、モニタセットセル１１ｄの電波がアクティブセットセル１１ａ〜１１ｃに対して致命的な干渉波となってしまう前に、セルの入れ替えが行われる可能性が高くなるため、本発明の前提技術に係る移動体通信システムにおける上記の不具合を解消できる。
また、ｔｉｍｅ−ｔｏ−ｔｒｉｇｇｅｒの第２の値として、ベストアクティブセットセル１１ｂの通信レベルに応じて変化する変数値を採用することにより、本実施の形態２に係る移動体通信システムによって得られる上記効果は、より顕著となる。
図１４は、本実施の形態２の変形例に係る移動体通信システムに関し、移動機１２の構成を示すブロック図である。制御部３０は、Ｈ保存部３９及びｔｉｍｅ−ｔｏ−ｔｒｉｇｇｅｒ保存部４３を有している。このように、上記実施の形態１に係る発明と、本実施の形態２に係る発明とを組み合わせてもよい。
３．実施の形態３
上記実施の形態１，２に係る移動体通信システムでは、主に移動機１２の処理によって、セルの早期の入れ替えを実現していた。これに対し、本発明の実施の形態３に係る移動体通信システムでは、主にネットワークの処理によって、セルの早期の入れ替えを実現する。本実施の形態３に係る移動体通信システムでは、最大ＲＬ数で通信している場合であってもイベント１Ａの監視及び報告を行うよう、ネットワークからの報知情報又は制御メッセージによって移動機が制御されている。そして、最大ＲＬ数で通信している移動機からイベント１Ａの報告を受けたネットワークは、モニタセットセルの通信レベルがワーストアクティブセットセルの通信レベルよりも高ければ、移動機にモニタセットセルとワーストアクティブセットセルとを入れ替えさせる。
図１５は、本実施の形態３に係る移動体通信システムに関し、移動機１２からイベント１Ａの報告を受けた際のネットワーク上位装置１０の動作を示すフローチャートである。また、図１６は、イベント１Ａを説明するための図である。図１６では、最大ＲＬ数が「３」であり、図１に示したセル１１ａ〜１１ｃがアクティブセットセル、セル１１ｄがモニタセットセルである場合を想定している。移動機１２は、メジャメント処理を定期的に実行し、モニタセットセル１１ｄの通信レベルがイベント１Ａに関するレポーティングレンジＲ１ａ内に入っている場合、イベント１Ａの発生をアクティブセットセル１１ａ〜１１ｃを介してネットワーク上位装置１０に報告する。以下、図１，１５，１６を参照して、イベント１Ａの報告を受けた際のネットワーク上位装置１０の動作について説明する。
まず、ステップＳ４１において、イベント１Ａの報告を受けたネットワーク上位装置１０は、移動機１２が最大ＲＬ数で通信中であるか否かを判定する。ステップＳ４１における判定の結果が「ＮＯ」である場合はステップＳ４５に進み、ネットワーク上位装置１０は、通常の処理（ＲＬ追加処理）を行う。即ち、モニタセットセル１１ｄをアクティブセットセルとして追加する。
一方、ステップＳ４１における判定の結果が「ＹＥＳ」である場合はステップＳ４２に進み、ネットワーク上位装置１０は、モニタセットセル１１ｄの通信レベルが、ワーストアクティブセットセル１１ｃの通信レベルよりも高いか否かを判定する。但し、ワーストアクティブセットセル１１ｃではなく、他のアクティブセットセル１１ａ，１１ｂとの比較を行ってもよい。また、ばたつき防止しきい値Ｈ１ａを設定し、モニタセットセル１１ｄの通信レベルが、レポーティングレンジＲ１ａをばたつき防止しきい値Ｈ１ａ以上上回ったか否かを判定してもよい。
ステップＳ４２における判定の結果が「ＮＯ」である場合はステップＳ４４に進み、ネットワーク上位装置１０はイベント１Ａの処理を終了する。
一方、ステップＳ４２における判定の結果が「ＹＥＳ」である場合はステップＳ４３に進み、ネットワーク上位装置１０は、移動機１２からのイベント１Ｃの報告を待つことなく、移動機１２にモニタセットセル１１ｄとワーストアクティブセットセル１１ｃとを入れ替えさせる。
図１６を参照して、モニタセットセル１１ｄの通信レベルがレポーティングレンジＲ１ａ内に入ったことにより、移動機１２は、イベント１Ａの発生をネットワーク上位装置１０に定期的に報告している。３回目の報告の際には、モニタセットセル１１ｄの通信レベルが、ワーストアクティブセットセル１１ｃの通信レベルよりも高くなっている。そのため、ネットワーク上位装置１０はこれを検出して、セルの入れ替え処理を行っている。入れ替え処理の後、アクティブセットセルはセル１１ａ，１１ｂ，１１ｄとなり、正常な通信が行われる。
このように本実施の形態３に係る移動体通信システムによれば、最大ＲＬ数で通信している移動機１２からイベント１Ａの報告を受けたネットワーク上位装置１０は、モニタセットセル１１ｄの通信レベルがワーストアクティブセットセル１１ｃの通信レベルよりも高ければ、移動機１２にモニタセットセル１１ｄとワーストアクティブセットセル１１ｃとを入れ替えさせる。そのため、モニタセットセル１１ｄの電波がアクティブセットセル１１ａ〜１１ｃに対して致命的な干渉波となってしまう前に、セルの入れ替えが行われる可能性が高くなるため、本発明の前提技術に係る移動体通信システムにおける上記の不具合を解消できる。
また、ベストアクティブセットセルに対してレポーティングレンジＲ１ａが設定されているため、移動機１２とネットワークとの間でメッセージの授受の回数が増大することを回避できる。
４．実施の形態４
上記実施の形態１，２に係る移動体通信システムでは、主に移動機１２の処理によって、セルの早期の入れ替えを実現していた。これに対し、本発明の実施の形態４に係る移動体通信システムでは、主にネットワークの処理によって、セルの早期の入れ替えを実現する。複数のセルのうち通信レベルが最高のセル（本明細書においてベストセルと称する）が変更された場合、移動機は、イベント１Ｄの発生をネットワークに報告する。本実施の形態４に係る移動体通信システムでは、移動機からイベント１Ｄの報告を受けたネットワークは、変更後のベストセルがモニタセットセルである場合、移動機にモニタセットセルとワーストアクティブセットセルとを入れ替えさせる。
図１７は、本実施の形態４に係る移動体通信システムに関し、移動機１２からイベント１Ｄの報告を受けた際のネットワーク上位装置１０の動作を示すフローチャートである。また、図１８は、イベント１Ｄを説明するための図である。図１８では、最大ＲＬ数が「３」であり、図１に示したセル１１ａ〜１１ｃがアクティブセットセル、セル１１ｄがモニタセットセルである場合を想定している。移動機１２は、メジャメント処理を定期的に実行し、複数のセル１１ａ〜１１ｄのうち通信レベルが最高のベストセルが変更された場合、イベント１Ｄの発生をアクティブセットセル１１ａ〜１１ｃを介してネットワーク上位装置１０に報告する。以下、図１，１７，１８を参照して、イベント１Ｄの報告を受けた際のネットワーク上位装置１０の動作について説明する。
まず、ステップＳ５１において、イベント１Ｄの報告を受けたネットワーク上位装置１０は、通信レベルが最高のセルがモニタセットセル１１ｄであるか否かを判定する。ステップＳ５１における判定の結果が「ＮＯ」である場合はステップＳ５２に進み、ネットワーク上位装置１０は、従来のイベント１Ｄと同等の処理を行う。
一方、ステップＳ５１における判定の結果が「ＹＥＳ」である場合はステップＳ５３に進み、ネットワーク上位装置１０は、移動機１２からのイベント１Ｃの報告を待つことなく、移動機１２にモニタセットセル１１ｄとワーストアクティブセットセル１１ｃとを入れ替えさせる。
図１８を参照して、ベストセルがセル１１ｂからセル１１ｄに変更されたことにより、移動機１２は、イベント１Ｄの発生をネットワーク上位装置１０に報告している。変更後のベストセルがモニタセットセル１１ｄであるため、ネットワーク上位装置１０は、セルの入れ替え処理を行っている。入れ替え処理の後、アクティブセットセルはセル１１ａ，１１ｂ，１１ｄとなり、正常な通信が行われる。
このように本実施の形態４に係る移動体通信システムによれば、移動機１２からイベント１Ｄの報告を受けたネットワーク上位装置１０は、変更後のベストセルがモニタセットセル１１ｄである場合、移動機１２にモニタセットセル１１ｄとワーストアクティブセットセル１１ｃとを入れ替えさせる。そのため、モニタセットセル１１ｄの電波がアクティブセットセル１１ａ〜１１ｃに対して致命的な干渉波となってしまう前に、セルの入れ替えが行われる可能性が高くなるため、本発明の前提技術に係る移動体通信システムにおける上記の不具合を解消できる。
この発明は詳細に説明されたが、上記した説明は、すべての局面において、例示であって、この発明がそれに限定されるものではない。例示されていない無数の変形例が、この発明の範囲から外れることなく想定され得るものと解される。
【図１】
2005002268.tif 000004
【図２】
2005002268.tif 000005
【図３】
2005002268.tif 000006
【図４】
2005002268.tif 000007
【図５】
2005002268.tif 000008
【図６】
2005002268.tif 000009
【図７】
2005002268.tif 000010
【図８】
2005002268.tif 000011
【図９】
2005002268.tif 000012
【図１０】
2005002268.tif 000013
【図１１】
2005002268.tif 000014
【図１２】
2005002268.tif 000015
【図１３】
2005002268.tif 000016
【図１４】
2005002268.tif 000017
【図１５】
2005002268.tif 000018
【図１６】
2005002268.tif 000019
【図１７】
2005002268.tif 000020
【図１８】
2005002268.tif 000021
【国際調査報告】
2005002268.tif 000022
2005002268.tif 000023
2005002268.tif 000024
2005002268.tif 000025